【手続補正書】
【提出日】平成20年6月17日(2008.6.17)
【手続補正１】
【補正対象書類名】特許請求の範囲
【補正対象項目名】全文
【補正方法】変更
【補正の内容】
【特許請求の範囲】
【請求項１】
被破砕物を破砕する破砕ビットが配され、破砕室内に回転自在に支持された破砕ロータと、  破砕ロータの径方向外側に配置され、前記破砕ロータの回転方向と対向して配置された衝突面で被破砕物を破砕する固定刃と、  前記破砕ロータの径方向外側において前記破砕ロータに対向して配置され、前記破砕室の一部を形成する湾曲形状の板部材、及び、この板部材上に前記破砕ロータに向かって突出して設けられ、前記破砕ビットの最大回転軌道よりも前記破砕ロータの径方向外側に配置された凸部を有する段付き湾曲板と、  前記破砕ロータの径方向外側に配置され、前記破砕室から破砕物を排出する篩い部材とを備えることを特徴とする破砕機。
【請求項２】
請求項１記載の破砕機において、  前記段付き湾曲板は、他の段付き湾曲板と交換することによって、前記凸部を形成する面の内、前記破砕ロータ側に最も突出している部分から前記破砕ビットの最大回転軌道までの距離が調整可能なように構成されていることを特徴とする破砕機。
【請求項３】
請求項１記載の破砕機において、  前記段付き湾曲板は、他の段付き湾曲板と交換することによって、前記板部材の内径面から前記破砕ビットの最大回転軌道までの距離が調整可能なように構成されていることを特徴とする破砕機。
【請求項４】
請求項１から３いずれかに記載の破砕機において、  前記凸部は、前記破砕室に露出している面の内、少なくとも前記破砕ロータの回転方向と対向する面に表面硬化処理が施されていることを特徴とする破砕機。
【請求項５】
請求項１から４いずれかに記載の破砕機において、  前記凸部は前記段付き湾曲板上に格子状に設けられていることを特徴とする破砕機。
【手続補正２】
【補正対象書類名】明細書
【補正対象項目名】０００７
【補正方法】変更
【補正の内容】
【０００７】  （１）本発明は、上記目的を達成するために、被破砕物を破砕する破砕ビットが配され、破砕室内に回転自在に支持された破砕ロータと、破砕ロータの径方向外側に配置され、前記破砕ロータの回転方向と対向して配置された衝突面で被破砕物を破砕する固定刃と、前記破砕ロータの径方向外側において前記破砕ロータに対向して配置され、前記破砕室の一部を形成する湾曲形状の板部材、及び、この板部材上に前記破砕ロータに向かって突出して設けられ、前記破砕ビットの最大回転軌道よりも前記破砕ロータの径方向外側に配置された凸部を有する段付き湾曲板と、前記破砕ロータの径方向外側に配置され、前記破砕室から破砕物を排出する篩い部材とを備えるものとする。
【手続補正３】
【補正対象書類名】明細書
【補正対象項目名】０００８
【補正方法】変更
【補正の内容】
【０００８】  （２）上記（１）は、好ましくは、前記段付き湾曲板は、他の段付き湾曲板と交換することによって、前記凸部を形成する面の内、前記破砕ロータ側に最も突出している部分から前記破砕ビットの最大回転軌道までの距離が調整可能なように構成されているものとする。
【手続補正４】
【補正対象書類名】明細書
【補正対象項目名】０００９
【補正方法】変更
【補正の内容】
【０００９】  （３）上記（１）は、好ましくは、前記段付き湾曲板は、他の段付き湾曲板と交換することによって、前記板部材の内径面から前記破砕ビットの最大回転軌道までの距離が調整可能なように構成されているものとする。
【手続補正５】
【補正対象書類名】明細書
【補正対象項目名】００２９
【補正方法】変更
【補正の内容】
【００２９】  図３及び図４において、段付き湾曲板７０は、保持部材４０に取り付けられた湾曲形状の板部材である湾曲板（板部材）７１と、この湾曲板７１の周方向に所定間隔で複数取り付けられ、破砕機の機体幅方向に細長く延びる板状の部材である邪魔板（凸部）７２とを有しており、アンビル３４の被破砕物流通方向下流側かつ破砕ロータ１５径方向外側に設けられている。湾曲板７０上には、上記のように取り付けられた複数の邪魔板７２によって、破砕ビット３６又はアンビル３４によって破砕された被破砕物の一部を引っ掛けて一時的に保持する凸部が複数形成されている。
【手続補正６】
【補正対象書類名】明細書
【補正対象項目名】００３０
【補正方法】変更
【補正の内容】
【００３０】  湾曲板７１は、破砕ロータ１５の外周面から破砕ロータ１５径方向外側に間隔を介して形成される湾曲形状の板部材であり、例えばボルト（図示せず）等の締結具によって保持部材４０に取り付けられている。段付き湾曲板７０は、この図示しないボルトを緩めて湾曲板７１を保持部材４０から離間させることによって、他の段付き湾曲板と交換可能に構成されている。このように交換可能に構成とすることにより、被破砕物と衝突を繰り返して邪魔板７２の角部がすり減った場合にも新しいものと交換することができる。邪魔板７２は、破砕ロータ１５回転方向と対向し、回転する破砕ロータ１５に伴ってやってくる被破砕物の一部を引っ掛けて一時的に保持する面（保持面）７４と、破砕ロータ１５と対向し、湾曲板７１から破砕ロータ１５側へ最も突出している部分（突出部分）７５とを有している。
【手続補正７】
【補正対象書類名】明細書
【補正対象項目名】００３６
【補正方法】変更
【補正の内容】
【００３６】  グラップル等の適宜の作業具を備えた重機（油圧ショベル等）によってホッパ１１内に被破砕物を投入すると、被破砕物は、ホッパ１１の拡開部にガイドされて送りコンベヤ１２の搬送体１７上に載置され、循環駆動する搬送体１７によって破砕機前方側に向かってほぼ水平方向に搬送される。送りコンベヤ１２上の被破砕物は、押圧フィーダ装置１４付近まで搬送されると、押えローラ２４の下部に入り込んで押圧フィーダ装置１４を押し上げる。押圧フィーダ装置１４を押し上げた被破砕物は押圧フィーダ装置１４の自重により送りコンベヤ１２側に押さえ付けられながら破砕室２７へ導入される。その際、被破砕物は押圧ローラ２４と送りコンベヤ１２とに挟持された部分を支点に片持ち梁状に破砕室２７内に向かって突出する。そして、この突出した部分に回転する破砕ロータ１５の破砕ビット３５が下方から衝突することで比較的大雑把に１次破砕される。１次破砕された被破砕物は、破砕室２７内を破砕ロータ１５の回転方向に従ってアンビル３４の所まで流通し、このアンビル３４によってさらに細かく２次破砕される。
【手続補正８】
【補正対象書類名】明細書
【補正対象項目名】００４１
【補正方法】変更
【補正の内容】
【００４１】  このような比較例に対して本実施の形態の破砕機は、破砕ビット３６又はアンビル３４によって破砕された被破砕物の一部を引っ掛けて一時的に保持する邪魔板（凸部）７２を有する段付き湾曲板７０を、被破砕物流通方向（破砕ロータ１５回転方向）におけるアンビル３４下流側かつスクリーン３８上流側に位置するように破砕ロータ１５径方向外側に設けている。これにより、上記比較例においては直接的に破砕することが難しかった２次破砕後の被破砕物を、段付き湾曲板７０に設けられた邪魔板７２によって破砕室２７内に一時的に保持し、スクリーン３８に辿り着く前に更に小さく破砕している。これにより、３次破砕を要する被破砕物を事前に小さく破砕することができるので、３次破砕に要する時間が短縮されるとともに、目標粒径を超える破砕物が排出されることが抑制される。即ち、本実施の形態によれば、粒度品質の良い破砕物を安定して効率よく生産することができる。
【手続補正９】
【補正対象書類名】明細書
【補正対象項目名】００４４
【補正方法】変更
【補正の内容】
【００４４】  段付き湾曲板７０Ａは、上記段付き湾曲板７０とほぼ同様の構成からなっており、破砕ロータ１５側の面に複数の邪魔板７２を有している。このように構成しても、第１の実施の形態のように被破砕物を段付き湾曲板７０Ａ上の邪魔板（凸部）７２で一時的に保持して破砕できるので、粒度品質の良い破砕物を安定して効率よく生産することができる。なお、この段付き湾曲板７０Ａを第１の実施の形態で説明した段付き湾曲板７０と併用して取り付けても良いのは言うまでもない。
【手続補正１０】
【補正対象書類名】明細書
【補正対象項目名】００４７
【補正方法】変更
【補正の内容】
【００４７】  本実施の形態の特徴は、段付き湾曲板７０を他の段付き湾曲板と交換して、段付き湾曲板上の邪魔板（凸部）７２において破砕ロータ１５側に最も突出している部分（突出部分）７５から破砕ビット３６の最大回転軌道までの距離が調整可能なように構成してある点である。
【手続補正１１】
【補正対象書類名】明細書
【補正対象項目名】００５８
【補正方法】変更
【補正の内容】
【００５８】  図８において、段付き湾曲板７０Ｄは、邪魔板７２に対して概ね直角になるように配置された邪魔板７６を複数有しており、段付き湾曲板７０Ｄ上に凸部を格子状に形成している。また、その他の部分は上記段付き湾曲板７０と同様に構成されている。このように邪魔板７２，７６を格子状に湾曲板７１上に取り付けると、被破砕物が邪魔板７２に引っ掛かって一時的に破砕室２７内に保持された際に、邪魔板７２の長手方向へ横滑りすることを邪魔板７６によって抑制することができる。従って、上記各実施の形態における段付き湾曲板と比較して、確実に被破砕物を破砕することができる。
【手続補正１２】
【補正対象書類名】明細書
【補正対象項目名】００６７
【補正方法】変更
【補正の内容】
【００６７】Ｄ 間隙距離Ｅ 間隙距離１３ 破砕装置１５ 破砕ロータ２７ 破砕室３４ アンビル（固定刃）３６ 破砕ビット３８ スクリーン６０ 衝突面７０ 段付き湾曲板７１ 湾曲板（板部材）７２ 邪魔板７４ 保持面７５ 突出部分７６ 邪魔板９０ 超鋼チップ
【手続補正１３】
【補正対象書類名】図面
【補正対象項目名】図３
【補正方法】変更
【補正の内容】
【図３】
2007313473.tif 000001
【手続補正１４】
【補正対象書類名】図面
【補正対象項目名】図４
【補正方法】変更
【補正の内容】
【図４】
2007313473.tif 000002
【手続補正１５】
【補正対象書類名】図面
【補正対象項目名】図７
【補正方法】変更
【補正の内容】
【図７】
2007313473.tif 000003
【手続補正１６】
【補正対象書類名】図面
【補正対象項目名】図８
【補正方法】変更
【補正の内容】
【図８】
2007313473.tif 000004
【手続補正１７】
【補正対象書類名】図面
【補正対象項目名】図１０
【補正方法】変更
【補正の内容】
【図１０】
2007313473.tif 000005